(57)【要約】  【課題】  送受信で用いる通信方式が異なる場合に通信端末は１台でよく、通信に必要がない音声データはＬＡＮに流されない無線通信システムを提供する。  【解決手段】  この発明の無線通信システムにおいて、管理端末４は、通信端末３−１の選択画面による選択に従って、一種類（ＨＦ−Ａ１）の無線ソフトウェアを送信についてのみ機能するように設定し、他の一種類（ＨＦ−Ａ２）の無線ソフトウェアを受信についてのみ機能するように設定できるので、送信と受信とを異なる無線方式で行おうとする場合にも、同じ通信端末３−１から実行することができる。また、不要な音声データ、すなわち、ソフトウェア無線機１−１からの音声データやソフトウェア無線機１−２への音声データをＬＡＮ５に流すことが無くなる。  【選択図】  図１
2006186492.tif 000002
【特許請求の範囲】
【請求項１】
ソフトウェア無線機と、通信端末と、通信ソフトウェアサーバと、管理端末とが通信ネットワークを介して接続され、通信端末が要求する通信機能について、管理端末が該当する無線ソフトウェアを通信ソフトウェアサーバからソフトウェア無線機にダウンロードさせ、そのソフトウェア無線機を介して通信端末が要求した通信機能を使うことができるように設定する無線通信システムにおいて、
送信用および受信用に別機能の無線ソフトウェアを使用したい旨の要求を受け付けるために通信端末に配置された機能選択手段と、
前記通信端末の機能選択手段によって送信用および受信用に別機能の無線ソフトウェアが選択された場合には、送信用の無線ソフトウェアを稼働させるソフトウェア無線機と前記通信端末との間では受信用の音声データを授受させず、受信用の無線ソフトウェアを稼働させるソフトウェア無線機と前記通信端末との間では送信用の音声データを授受させないように管理端末に組み込まれた送受信機能設定手段とを有することを特徴とする無線通信システム。
【発明の詳細な説明】
【技術分野】
【０００１】
本発明は、無線通信システムに関し、特に、ソフトウェア無線機と、通信端末と、通信ソフトウェアサーバと、管理端末とが通信ネットワークを介して接続され、通信端末が要求する通信機能について、管理端末が該当する無線ソフトウェアを通信ソフトウェアサーバからソフトウェア無線機にダウンロードさせ、そのソフトウェア無線機を介して通信端末が要求した通信機能を使うことができるように設定する無線通信システムに関する。
【背景技術】
【０００２】
図７は、この種の無線通信システムの従来例を示すブロック図である。この無線通信システムにおいて、ソフトウェア無線機１１−１，１１−２は管理端末１４からの指示により、無線機の機能として必要な無線ソフトウェアを通信ネットワークであるＬＡＮ１５を介して、チャネル（ＣＨ）毎に通信ソフトウェアサーバ１２から取得し、無線機として機能する。例えば、図７で示されるソフトウェア無線機１１−１において、ＣＨ１は機能Ａとして動作可能であり、ＣＨ２は機能Ｃとして動作可能であることが示されている。また、この無線通信システムにおける管理端末１４は、以下に述べるような３つの機能を有している。
【０００３】
（１）無線機情報ファイルの作成および保存機能：図８に示す無線機情報ファイルには、上述の無線通信システムで使用するバンド、周波数、変調方式、無線名、ソフトウェア名が格納されている。（２）無線機使用状況ファイルの管理機能：図９に示す無線機使用状況ファイルは、ソフトウェア無線機の各チャネルに設定されている無線名と、通信端末によるそのＣＨの使用状況が格納されている。（３）端末情報ファイルの管理機能および通信端末への送信機能：図１０に示す端末情報ファイルは、ソフトウェア無線機の各ＣＨの使用状況が変更される度に通信端末に送信されるので、ソフトウェア無線機の使用状況を通信端末側で確認できる。この情報に基づいて、図１１に示す選択画面が各通信端末に表示されるので、各通信端末は、使用可能な無線機の機能を選択して無線通信を行うことができる。
【０００４】
次に、上述の無線通信システムの動作例について図１２のシーケンスダイヤグラムを参照して説明する。図１１に示す通信端末において、画面表示された“使用可”の中から使用したい無線名を選択ボタンで選択（ステップ（Ｐ１））すると、選択された無線名が管理端末１４に通知される（ステップ（Ｐ２））。この通知に基づいて、管理端末１４からソフトウェア無線機に対して、ダウンロードするべき無線ソフトウェア名が指示される（ステップ（Ｐ３））。通信ソフトウェアサーバからソフトウェア無線機に対して、該当する無線ソフトウェアが送られる（ステップ（Ｐ４））。
【０００５】
通信ソフトウェアサーバから送られた無線ソフトウェアによるソフトウェア無線機でのダウンロードが完了し、無線機能の準備が完了すると、その旨が管理端末に通知される（ステップ（Ｐ５））。そこで、管理端末は、前記無線名を選択した通信端末に対してその機能の使用許可を通知する（ステップ（Ｐ６））とともに、接続先となり、その機能を担当するソフトウェア無線機のＣＨを示すＩＰアドレスを通信端末に送信する（ステップ（Ｐ７））。端末情報ファイルを各通信端末に送信する（ステップ（Ｐ８））。そこで、ダウンロードによるソフトウェア無線機と、前記無線名を選択した通信端末との間で音声データの送受信が開始される（ステップ（Ｐ９））。
【発明の開示】
【発明が解決しようとする課題】
【０００６】
しかし、上述の従来の無線通信システムでは、送信と受信とで使用する周波数またはバンドを変えたい場合には通信端末が２台必要になる、すなわち、受信用に通信端末の１台が、送信用に他の１台が必要になるという問題がある。また、その場合、送信用の端末装置にＬＡＮを介してソフトウェア無線機から受信した音声データが流され、受信用の端末装置からは送信用の音声データがＬＡＮに流されてしまうという問題がある。この様子を図７を参照してより具体的に説明する。受信用として無線名“ＨＦ−Ａ１”の無線ソフトウェアをソフトウェア無線機１１−１に、送信用として無線名“ＨＦ−Ａ２”の無線ソフトウェアをソフトウェア無線機１１−２にそれぞれ設定し、受信用端末として通信端末１３−１を、送信用端末として通信端末１３−２を設定した場合に、ソフトウェア無線機１１−１から通信端末１３−１に対しては通信で使用しない受信音声データが送信され、通信端末１３−２からソフトウェア無線機１１−２には通信で使用しない送信音声データが送信される。したがって、不要な音声データがＬＡＮに流される。
【０００７】
本発明は上述した問題点を解決するためになされたものであり、送信と受信とで用いる通信方式の仕様が異なる場合でも通信端末は１台でよく、通信に必要がない音声データはＬＡＮ上に流されないという無線通信システムを提供することを目的とする。
【課題を解決するための手段】
【０００８】
上述した課題を解決するため、本発明に係る無線通信システムは、ソフトウェア無線機と、通信端末と、通信ソフトウェアサーバと、管理端末とが通信ネットワークを介して接続され、通信端末が要求する通信機能について、管理端末が該当する無線ソフトウェアを通信ソフトウェアサーバからソフトウェア無線機にダウンロードさせ、そのソフトウェア無線機を介して通信端末が要求した通信機能を使うことができるように設定する無線通信システムにおいて、送信用および受信用に別機能の無線ソフトウェアを使用したい旨の要求を受け付けるために通信端末に配置された機能選択手段と、前記通信端末の機能選択手段によって送信用および受信用に別機能の無線ソフトウェアが選択された場合には、送信用の無線ソフトウェアを稼働させるソフトウェア無線機と前記通信端末との間では受信用の音声データを授受させず、受信用の無線ソフトウェアを稼働させるソフトウェア無線機と前記通信端末との間では送信用の音声データを授受させないように管理端末に組み込まれた送受信機能設定手段とを有する。
【０００９】
このような構成によれば、送受信機能設定手段は、通信端末の機能選択手段の選択に従って、一種類の無線ソフトウェアを送信についてのみ機能するように設定し、他の一種類の無線ソフトウェアを受信についてのみ機能するように設定できるので、送信と受信とを異なる無線方式で行おうとする場合にも、同じ通信端末から実行することができるとともに、不要な音声データをソフトウェア無線機あるいは通信端末から通信ネットワークに流すことが無くなる。
【発明の効果】
【００１０】
以上に詳述したように本発明の無線通信システムによれば、送受信機能設定手段は、通信端末の機能選択手段の選択に従って、一種類の無線ソフトウェアを送信についてのみ機能するように設定し、他の一種類の無線ソフトウェアを受信についてのみ機能するように設定できるので、送信と受信とを異なる無線方式で行おうとする場合にも、同じ通信端末から実行することができるとともに、送信設定の機能によって受信音声データを流し、あるいは、受信設定の機能によって送信音声データを流すといったぐあいに、不要な音声データをソフトウェア無線機あるいは通信端末から通信ネットワークに流すことが無くなる。
【発明を実施するための最良の形態】
【００１１】
以下、本発明の実施の形態について図面を参照しつつ説明する。図１は、本発明の無線通信システムの実施の形態を示すブロック図、図２は、図１で示される管理端末の無線機情報ファイルの内容を説明する図、図３は、図１で示される管理端末の端末情報ファイルの内容を説明する図、図４は、図１で示される通信端末に表示される選択画面を示す図である。図５は、１台の通信端末によって送信と受信とを異なる無線名の無線ソフトウェアを使用して通信するための設定動作の一例を説明するためのシーケンスダイヤグラム、図６は、１台の通信端末によって送信と受信とを異なる無線名の無線ソフトウェアを使用して通信するための設定動作の他の例を説明するためのシーケンスダイヤグラムである。
【００１２】
図１の無線通信システムは、ソフトウェア無線機１−１，１−２と、通信端末３−１〜３−ｎと、通信ソフトウェアサーバ２と、管理端末４とがＬＡＮ５を介して接続されている。ソフトウェア無線機１−１，１−２は、電力増幅器１１，２１およびアンテナ１２，２２を介して外部と無線送受信を行うことができる。この無線通信システムは、図７の無線通信システムの管理端末の制御動作等に係わる内容に改良を加えたものである。図１の無線通信システムにおいて、ソフトウェア無線機１−１，１−２は管理端末４からの指示により、無線機の機能として必要な無線ソフトウェアＡ，Ｂ，〜，ＮをＬＡＮ５を介して、チャネル（ＣＨ）毎に通信ソフトウェアサーバ２から取得し、それぞれのＣＨがそれぞれの機能を発揮する無線機となる。例えば、図１で示されるソフトウェア無線機１−１において、ＣＨ１は無線名ＨＦ−Ａ１を有する機能Ａとして動作可能であり、ＣＨ２は無線名ＵＨＦ−Ｃ１を有する機能Ｃとして動作可能であることが示されている。
【００１３】
この例において、管理端末４の無線機情報ファイルには、図２に示されるように、従来の機能の他に送受信区分に関する機能の設定ができる送受信機能設定能力の追加がなされている。上述のソフトウェア無線機のそれぞれのＣＨの機能は、送信のみを機能させるのか、受信のみを機能させるのか、両方を機能させるのかの設定が管理端末４によってなされる。また、通信端末においては、送受信、送信、受信の機能を別々に選択する機能選択手段が設けられる。この場合の送受信、送信、受信の設定の違いについてソフトウェア無線機と通信端末とに分けて説明する。
【００１４】
（１）ソフトウェア無線機の場合：
「送受信」
送受信が設定されたＣＨは、接続先の通信端末と音声データの送受信を行う。
「送信」
送信が設定されたＣＨは、接続先の通信端末からの音声データを外部に送信するが、外部から受信した音声データを通信端末に向けて流すことはない。
「受信」
受信が設定されたＣＨは、外部から受信した音声データを通信端末に向けて流すが、接続先の通信端末から送られてきた音声データがあった場合には、これを破棄する（通常、接続先の通信端末も受信に設定されているであろうからから受信が設定されたＣＨに対して音声データが送られてくることは無いであろう）。
【００１５】
（２）通信端末の場合：
「送受信」
無線名に送受信が設定されている場合は、接続先のソフトウェア無線機と音声データの送受信を行う。
「送信」
無線名に送信が設定されている場合は、接続先のソフトウェア無線機通信端末に音声データを送信するが、接続先のソフトウェア無線機通信端末から送られてきた音声データがあった場合にはこれを破棄する（通常、接続先のソフトウェア無線機も送信に設定されているであろうからから音声データが送られてくることは無いであろう）
「受信」
無線名に受信が設定されている場合は、接続先のソフトウェア無線機からの音声データを受信するが、音声データを与えられても、それをソフトウェア無線機に向けて流すことはない。
【００１６】
上述のような設定条件に基づき管理端末４は、下記に述べるような排他処理のルールで送受信の関係に矛盾が生じないように各部を管理する。すなわち、
（１）通信端末が送受信の無線名を１つめに選択したときは、２つめを選択できない。
（２）通信端末が送信の無線名を１つめに選択したときは、２つめは受信の無線名しか選択できない。
（３）通信端末が受信の無線名を１つ目に選択したときは、２つめは送信の無線名しか選択できない。
【００１７】
次に、図１の無線通信システムの実施の形態の動作例について図５のシーケンスダイヤグラムを参照して説明する。図４に示される通信端末３−１の選択画面において、使用可の無線名の中から送信で使用したい無線名をクリックで選択し（ステップＳ１）、使用可の無線名の中から受信で使用したい無線名をクリックで選択する（ステップＳ２）。選択された無線名が管理端末４に通知される（ステップＳ３）。管理端末４は、通知された内容にルール上等で問題がなければ（無線ソフトウェアのダウンロードが必要であれば、ダウンロードの処理を行い）、選択された無線名の機能（無線ソフトウェア）の使用許可を通信端末３−１に通知する（ステップＳ４）。送信で使用する接続先の該当ＣＨのＩＰアドレスと、受信で使用する接続先の該当ＣＨのＩＰアドレスとを通信端末３−１に送信する（ステップＳ５）。図５の例では、使用したい送信の無線ソフトウェアはソフトウェア無線機１−１（ＨＦ−Ａ１）に、使用したい受信の無線ソフトウェアはソフトウェア無線機１−２（ＨＦ−Ａ２）にそれぞれ使用可としてダウンロードされていたものとして図示されている。
【００１８】
管理端末４は、ＩＰアドレス送信の後、端末情報ファイルを通信端末３−１を含めて全ての通信端末に送信する（ステップＳ６）。端末情報ファイルの送信の完了後、通信端末３−１からの送信の音声データは、ソフトウェア無線機１−１、電力増幅器１１、アンテナ１２を介して外部に送信される。また、アンテナ２２で受信された外部からの信号は、電力増幅器２１、ソフトウェア無線機１−２を介して受信の音声データとして通信端末３−１に送信される。したがって、１台の通信端末３−１で送信と受信とで異なる無線名の無線ソフトウェアを使用して通信を行うことができる。
【００１９】
上述の例では、外部への送信（送話）は、ソフトウェア無線機１−１に設定されている無線名“ＨＦ−Ａ１”の無線ソフトウェアが使用され、外部からの送信に対する受信（受話）は、ソフトウェア無線機１−２に設定されている無線名“ＨＦ−Ａ２”の無線ソフトウェアが使用される。この例の場合には、送信と受信とに用いられる無線ソフトウェアである“ＨＦ−Ａ１”と“ＨＦ−Ａ２”とは、ソフトウェア無線機１−１と、ソフトウェア無線機１−２とに別々に格納されているが、同じソフトウェア無線機に格納されていても差し支えない。
【００２０】
さらに、図１の無線通信システムの実施の形態の他の動作例について図６のシーケンス図を参照して説明する。図４で示される通信端末３−１の選択画面から送信で使用したい無線名“ＵＨＦ−Ｃ１”と送信ボタンとを選択する（ステップＳ１１）。通信端末３−１から使用したい無線名“ＵＨＦ−Ｃ１”が管理端末４に通知される（ステップＳ１２）。通知を受けた管理端末４は、選択された無線名“ＵＨＦ−Ｃ１”の使用許可を通信端末３−１に通知する（ステップＳ１３）。
【００２１】
管理端末４は、無線名“ＵＨＦ−Ｃ１”の選択をした通信端末３−１に対し、接続先のソフトウェア無線機１−１の該当ＣＨのＩＰアドレスを送信する（ステップＳ１４）。管理端末４は、端末情報ファイルを各通信端末３−１〜３−ｎに送信する（ステップＳ１５）。ソフトウェア無線機１−１と通信端末３−１との間で音声データの送受信が開始される（ステップＳ１６）。この場合、通信端末３−１においては、接続先のソフトウェア無線機１−１から受信した音声データ（受話）は破棄される。次に、通信端末３−１において、受信で使用したい無線名“ＵＨＦ−Ｂ１”が選択される（ステップＳ１７）。
【００２２】
上述の選択に基づいて、使用したい無線名“ＵＨＦ−Ｂ１”が管理端末４に通知される（ステップＳ１８）。管理端末４は、受け取った通知にルール上等で問題がなければ、選択された無線名の使用許可を通信端末３−１に通知する（ステップＳ１９）。使用許可を通知後、管理端末４は、無線名“ＵＨＦ−Ｂ１”を選択した通信端末３−１に該当ＣＨ（この例では、ソフトウェア無線機１−２のＣＨ２）のＩＰアドレスを送信する（ステップＳ２０）。ＩＰアドレス送信後、端末情報ファイルを各通信端末３−１〜３−ｎに送信する（ステップＳ２１）。ソフトウェア無線機１−２から通信端末３−１に対して音声データ（受話）の送信が開始される（ステップＳ２２）。
【００２３】
ステップＳ２２において、ソフトウェア無線機１−２から通信端末３−１に対して音声データの送信が開始された場合、通信端末３−１からソフトウェア無線機１−２への音声データ（送話）は送信されない。上述のステップＳ１６以降、ソフトウェア無線機１−１から通信端末３−１への受話データは破棄されているが、ステップＳ１２において、ソフトウェア無線機１−２から津新端末３−１への受話データが送信されるようになった時点で、ソフトウェア無線機１−１から通信端末３−１への受話データの送信を停止するのも好ましい。上述の説明から明らかなように、１台の通信端末から一方の無線名の機能を送信用に、他方の無線名の機能を受信用に設定して通信することができ、無駄な音声データをＬＡＮに流さなくすることができることが理解されたであろう。
【図面の簡単な説明】
【００２４】
【図１】本発明の無線通信システムの実施の形態を示すブロック図である。
【図２】図１で示される管理端末の無線機情報ファイルの内容を説明する図である。
【図３】図１で示される管理端末の端末情報ファイルの内容を説明する図である。
【図４】図１で示される通信端末に表示される選択画面を示す図である。
【図５】１台の通信端末によって送信と受信とを異なる無線名の無線ソフトウェアを使用して通信するための設定動作の一例を説明するためのシーケンスダイヤグラムである。
【図６】１台の通信端末によって送信と受信とを異なる無線名の無線ソフトウェアを使用して通信するための設定動作の他の例を説明するためのシーケンスダイヤグラムである。
【図７】無線通信システムの従来例を示すブロック図である。
【図８】図７で示される管理端末の無線機情報ファイルの内容を説明する図である。
【図９】図７で示される管理端末の無線機使用状況ファイルの内容を説明する図である。
【図１０】図７で示される管理端末の端末情報ファイルの内容を説明する図である。
【図１１】図７の通信端末に表示される選択画面を示す図である。
【図１２】図７の無線通信システムにおいて、通信端末が選択した無線名の無線ソフトウェアが使用されるまで動作を説明するためのシーケンスダイヤグラムである。
【符号の説明】
【００２５】
１−１，１−２  ソフトウェア無線機、２  通信ソフトウェアサーバ、３−１〜３−ｎ  通信端末、４  管理端末、５  ＬＡＮ、１１，２１  電力増幅器、１２，２２  アンテナ。
【図１】
2006186492.tif 000003
【図２】
2006186492.tif 000004
【図３】
2006186492.tif 000005
【図４】
2006186492.tif 000006
【図５】
2006186492.tif 000007
【図６】
2006186492.tif 000008
【図７】
2006186492.tif 000009
【図８】
2006186492.tif 000010
【図９】
2006186492.tif 000011
【図１０】
2006186492.tif 000012
【図１１】
2006186492.tif 000013
【図１２】
2006186492.tif 000014